(57)【要約】      （修正有）【課題】襷掛け使用でも、違和感がなく、かつ散水作業が容易な如雨露を提供する。【解決手段】襷掛けベルトと曲面のプロテクターを備えた枠体と、枠体に着脱自在に設けられたタンクと、タンクに設けた注水口と、ホースと、ホースを曲折して係止する係止部とで構成する。襷掛けベルトを体の複数個所の外周面にフィットしてセットする。【選択図】図１
0003177606.tif 000002
【実用新案登録請求の範囲】
【請求項１】
襷掛けベルトと曲面のプロテクターを備えた枠体と、この枠体に着脱自在に設けられたタンクと、このタンクに設けた注水口と、ホース、並びに、このホースを曲折して係止する係止部とで構成した襷掛け如雨露。
【請求項２】
請求項１に記載の襷掛け如雨露であって、
前記枠体は、前記タンクを抱持する線材で構成する枠ユニットと、この枠ユニットに枢支した抱持ユニットで構成し、この枠ユニットと抱持ユニットの緊締で、前記タンクを抱持可能とする構成とした襷掛け如雨露。
【請求項３】
請求項１に記載の襷掛け如雨露であって、
前記プロテクターの曲面は、人の体の外周面に、略適合する曲面形状とする構成とした襷掛け如雨露。
【請求項４】
請求項１に記載の襷掛け如雨露であって、
前記タンクは、前記プロテクターの曲面と相似形であって、前記枠体に抱持される構成とした襷掛け如雨露。
【請求項５】
請求項１に記載の襷掛け如雨露であって、
前記タンクは、前記枠体の曲面の長手方向の両端部より突出する構成とした襷掛け如雨露。
【考案の詳細な説明】
【技術分野】
【０００１】
本考案は、人（体）への負担の軽減と、水の容量を確保できる襷掛け如雨露（袈裟掛け如雨露）に関する。
【背景技術】
【０００２】
如雨露により、散水（水撒き）、又は水遣り等の作業は、日常的なことであるが、各人がそれなりに苦労していること、又はこの苦労を回避するために、それぞれ工夫しながら作業を行っているのが現況である。しかし、水量が多くなると、持ち運びが大変であること、また、疲れること、さらには、遠くまで散水できないこと、等の問題が有る。一方、水量が少ないと、前述の問題は解消されるが、何度も注水と、移動（歩行）を行うことが必要となり、かえって、煩雑かつ厄介である問題を抱えている。
【０００３】
また、肩掛けタンクとして、農業用の薬剤を散布する薬剤散布タンクが知られている。しかし、この薬剤散布タンクは、全体が金属製であることから、重量が有り、取扱いに困ること、又は高価であること、等の問題を抱えており、一般的な、散水タンクとしては、不向きである。
【０００４】
先行文献として、特開２００７−１８５１７４号公報に、肩掛けベルト付きの如雨露がある。この発明は、肩掛けベルトを利用して、長時間の散水作業を行うことが記述されている。しかしながら、単に、如雨露に肩掛けベルトを備えた構造であり、タンクの構造とか、一体形状のタンクであり、取扱いに苦慮すること、等の問題を抱えている。
【０００５】
また、実開平７−１１１４２号公報に、如雨露の放水管を、可撓性のホースとし、このホースを、如雨露本体の上面に設けた係止部に係止し、放水（散水）の停止、又は前記係止解除により、放水可能とする構造で有り、放水管からの放水、又は放水停止を、ホースの係止等により、簡易かつ確実に行うことにある。しかしながら、如雨露の構造は、従来の構造と同じであり、襷掛けベルトを備えず、かつタンクの形状にも配慮が無いことから、改良の余地がある。
【０００６】
【特許文献１】特開２００７−１８５１７４号公報
【特許文献２】実開平７−１１１４２号公報
【考案の概要】
【考案が解決しようとする課題】
【０００７】
上記の課題を改良するために、次の構造を提案する。
［イ］  本考案は、曲面のプロテクターの採用と、襷掛けベルトを利用し、体の複数個所の外周面（外側）にフィットした如雨露となること、又は肩掛け使用でも、違和感がなく、かつ散水作業が容易となること、等の特徴がある。
［ロ］  本考案は、タンクを枠体に、着脱自在に設ける構造であり、タンクを取外して、通常のタンクとしての利用と、通常の如雨露としての利用、等ができる優位性がある。また、枠体とタンクを、個別な取扱い・収容ができることで、重宝する。
［ハ］  本考案は、枠体が、プロテクターと相似形であり、前記［イ］の意図の達成に有効である。
［ニ］  また、本考案は、タンクを、枠体の枠ユニットと、抱持ユニットとで抱持（支持）する構造であり、タンクの取付け・取外しの容易化と、簡便化、又は取付けの安定性等に寄与できる。
［ホ］  本考案は、タンクが、枠体の長手方向の両端部より、突出し、かつこのタンクの長手方向の両端部を曲面形状とする構成であり、体に優しく、人、その他のものに有害とならないこと、等の有益性がある。
【課題を解決するための手段】
【０００８】
本考案は、前記［イ］〜［ホ］の意図等を達成するために、下記の請求項１〜５を提供する。
【０００９】
請求項１の考案は、襷掛けベルト（肩掛けベルトも含む）と曲面のプロテクターを備えた枠体と、この枠体に着脱自在に設けられたタンクと、このタンクに設けた注水口と、ホース、並びに、このホースを曲折して係止する係止部とで構成した襷掛け如雨露である。
【００１０】
請求項２の考案は、請求項１に記載の襷掛け如雨露であって、
前記枠体は、前記タンクを抱持する線材で構成する枠ユニットと、この枠ユニットに枢支した抱持ユニット（緊締ユニット）で構成し、この枠ユニットと抱持ユニットの緊締で、前記タンクを抱持可能とする構成とした襷掛け如雨露である。
【００１１】
請求項３の考案は、請求項１に記載の襷掛け如雨露であって、
前記プロテクターの曲面は、人の体の外周面に、略適合する曲面形状とする構成とした襷掛け如雨露である。
【００１２】
請求項４の考案は、請求項１に記載の襷掛け如雨露であって、
前記タンクは、前記プロテクターの曲面と相似形であって、前記枠体に抱持される構成とした襷掛け如雨露である。
【００１３】
請求項５の考案は、請求項１に記載の襷掛け如雨露であって、
前記タンクは、前記枠体の曲面の長手方向の両端部より突出する構成とした襷掛け如雨露である。
【考案の効果】
【００１４】
請求項１の考案は、襷掛けベルトと曲面のプロテクターを備えた枠体と、枠体に着脱自在に設けられたタンクと、タンクに設けた注水口と、ホース、並びに、ホースを曲折して係止する係止部とで構成した襷掛け如雨露である。
【００１５】
従って、下記の特徴がある。
［イ］  曲面のプロテクターを採用することで、襷掛けベルトを利用し、体の複数個所の外周面（外側）にフィットした如雨露となること、又は肩掛け使用でも、違和感がなく、かつ散水作業が容易となること、等である。
［ロ］  タンクを枠体に、着脱自在に設ける構造であり、タンクを取外して、通常のタンクとしての利用と、通常の如雨露としての利用、等ができる優位性がある。また、枠体とタンクを、個別な取扱い・収容ができること、等である。
［ハ］  枠体が、プロテクターと相似形であり、前記［イ］の意図の達成できることである。
［ニ］  また、タンクを、枠体の枠ユニットと、抱持ユニットとで抱持（支持）する構造であり、タンクの取付け・取外しの容易化と、簡便化、又は取付けの安定性等に寄与できること、等である。
【００１６】
請求項２の考案は、請求項１に記載の枠体は、タンクを抱持する線材で構成する枠ユニットと、枠ユニットに枢支した抱持ユニットで構成し、枠ユニットと抱持ユニットの緊締で、前記タンクを抱持可能とする構成とした襷掛け如雨露である。
【００１７】
従って、前記の特徴の中で、［ニ］の特徴を最大限に発揮できる。
【００１８】
請求項３の考案は、請求項１に記載の襷掛け如雨露であって、
プロテクターの曲面は、人の体の外周面に、略適合する曲面形状とする構成とした襷掛け如雨露である。
【００１９】
請求項４の考案は、請求項１に記載の襷掛け如雨露であって、
タンクは、プロテクターの曲面と相似形であって、枠体に抱持される構成とした襷掛け如雨露である。
【００２０】
従って、前記の特徴の中で、［ニ］の特徴を最大限に発揮できる。
【００２１】
請求項５の考案は、請求項１に記載の襷掛け如雨露であって、
タンクは、枠体の曲面の長手方向の両端部より突出する構成とした襷掛け如雨露である。
【００２２】
従って、前記［イ］〜［ニ］の他に、下記の特徴がある。
［ホ］  タンクが、枠体の長手方向の両端部より、突出し、かつこのタンクの長手方向の両端部を曲面形状とする構成であり、体に優しく、人、その他のものに有害とならないこと、等の有益性がある。
【図面の簡単な説明】
【００２３】
【図１】本考案の俯瞰斜視図
【図２】本考案の平面図
【図３】本考案の正面図
【図４】本考案の右側面図
【図５】本考案の左側面図
【図６−１】本考案の枠体を示した俯瞰斜視図
【図６−２】本考案のタンクを示した俯瞰斜視図
【図７】本考案の使用状態を示した模式図
【考案を実施するための形態】
【００２４】
以下、本考案の好ましい、一実施例を説明する。
【００２５】
本考案の如雨露Ａは、襷掛けベルト１と曲面のプロテクター２（体当板）を備えた枠体３と、この枠体３に着脱自在に設けられた、注水口５と、ホース６を具備したタンク８で構成される。以下、詳細に説明する。
【００２６】
襷掛けベルト１は、図示しない、長さ調整用のバックルを備えており、その両自由端１ａ、１ｂに取付け用のリング１００、１０１を有する構造であり、長さ調整を可能とする。
【００２７】
プロテクター２は、人Ｈの体Ｈ１（身体）の脇腹、前腹部等の外周面に適合する曲面を有し、かつ体Ｈ１にダメージ、又は損傷等を与えない素材、例えば、軟質性プラスチック、植毛付き板材、カバー付き板材、金属製等とする。
【００２８】
また、枠体３は、プロテクター２に取付けるか、又はプロテクター２を取付ける曲面形状の側面枠ユニット３００と、この側面枠ユニット３００に繋がり、かつ９０度に屈折した底面枠ユニット３０１と、側面枠ユニット３００の上端部に、対で設けたフック３０２、３０３でなる枠ユニット３ａ、及び、この枠ユニット３ａの底面枠ユニット３０１に、その支点３０４を、可動自在に設けるとともに、その自由端３０５を、枠ユニット３ａの側面枠ユニット３００に係止可能とする係止片３０５でなり、かつ側面視して鍵形形状となる対の抱持ユニット３ｂで構成する。この枠体３の（少なくとも)枠ユニット３ａを、線材を組付けた構造とすることで、軽量化と低コスト化等を達成できる。尚、底面枠ユニット３０１は、プロテクター２の曲面と同じ、曲率形状の弓形形状であって、タンク８の上面８ａ（底面８ｂ）と相似形状とする。そして、図示しないが、この枠体３を、板材で構成すること、樹脂製とすること等も可能である。この枠体３に、タンク８をセットすることと、このセットを解除（タンク８を取外すこと）の、好ましい一例を説明する。例えば、タンク８をセットは、開放された枠ユニット３ａにタンク８を収容し、抱持ユニット３ｂを、支点３０４を基点として、閉方向（図面に於いて、反時計方向）に可動し、かつ係止片３０５を係止することで、タンク８の外周面を、このタンク８の底面８ｂと背面８ｄを、枠ユニット３ａで、また、タンク８の上面８ａと正面８ｃを、対の抱持ユニット３ｂで抱持し、セットが完了する。また、タンク８の取外しは、抱持ユニット３ｂを、支点３０４を基点として、開方向（図面に於いて、時計方向）に可動し、かつ係止片３０５を離間することで、枠ユニット３ａが開放されるので、この枠ユニット３ａからタンク８を取出すことで完了する。また、抱持ユニット３ｂで、タンク８の曲がりの中心より、外れた箇所で、それぞれ抱持することで、タンク８の枠体３からのずり落ち防止に有効である。そして、図示しないが、抱持ユニット３ｂを、ゴム等の軟質部材で構成し、抱持ユニット３ｂを張装し、枠ユニット３ａに緊締状態で、タンク８をセット可能とする構造（緊締ユニット）とする。これにより、タンク８の抜け防止、脱落防止、如雨露装置の軽量化、等に役立てる。また、タンク８は、金属製、樹脂製、又は他の素材で構成する。
【００２９】
図中１０は、タンク８の上面８ａに設けた取手である。この取手１０は、タンク８を、通常の如雨露とし使用する際の利便性と、タンク８の移動、持上げ、又は収容時の搬送等に役立てる。
【００３０】
尚、ホース６は、その基端６ａを、タンク８の底面８ｂに設け（タンク８の全ての水を残らず排水するために、底部８ｂに設ける）、また、その散水口６ｂを、タンク８の上面８ａに設けた係止部１１に係止し、かつこの散水口６ｂが上面８ａより上方にセットされる構造とし、ホース６、又はタンク８に注水栓をなくす構造とする。これにより、取扱いの簡易化、低コスト化と、故障の回避、又は水漏れ回避等を意図する。また、このホース６の散水口６ｂには、図７に示した、遠方への散水を図る、連結管１２が連結される。図中１２ａは多数の孔を備えた散水先端部である。尚、必要により、底面８ｂに、図示しない、開閉弁を配備することで、ホース６への水を、規制することもできる。
【００３１】
そして、図７に示したように、襷掛けベルト１を利用し、例えば、脇腹に添設するようにして襷掛け使用するが、必要により、タンク８に手を添えることで、安定した状態での散水と、移動ができ有益である。また、注水口５が、タンク８の上面８ａにあることで、襷掛け状態で、かつ人Ｈの正面で注水ができる、また、タンク８の取替えを図ることできる、等の利点がある。また、襷掛け状態で、散水ができることにより、例えば、安定した所作と、体Ｈ１（身体）への負担軽減と、また、女性による散水の負担軽減に有効である。そして、タンク８の位置と、散水先端部１２ａの位置の落差を利用して、かつ連結管１２を介在することで、例えば、遠くへの散水と、散水作業の迅速化、等に有益である。尚、本考案では、襷掛け状態での使用を説明するが、場合により肩掛け状態での使用も可能である。
【００３２】
前述した各構造は、本考案の好ましい一例の説明である。従って、説明、かつ図示した構造の各実施例に限定されるものではなく、考案の趣旨の範囲において構成の一部を変更する構造とか、同じ特徴と効果を達成できる構造、等は、本考案の範疇である。
【符号の説明】
【００３３】
１            襷掛けベルト
１ａ          自由端
１ｂ          自由端
１００        リング
１０１        リング
２            プロテクター
３            枠体
３ａ          枠ユニット
３ｂ          抱持ユニット
３００        側面枠ユニット
３０１        底面枠ユニット
３０２        フック
３０３        フック
３０４        支点
３０５        係止片
５            注水口
６            ホース
６ａ          基端
６ｂ          散水口
８            タンク
８ａ          上面
８ｂ          底面
８ｃ          正面
８ｄ          背面
１０          取手
１１          係止部
１２          連結管
１２ａ        散水先端部
Ａ            如雨露
Ｈ            人
Ｈ１          体
【図１】
0003177606.tif 000003
【図２】
0003177606.tif 000004
【図３】
0003177606.tif 000005
【図４】
0003177606.tif 000006
【図５】
0003177606.tif 000007
【図６−１】
0003177606.tif 000008
【図６−２】
0003177606.tif 000009
【図７】
0003177606.tif 000010